(57)【要約】【課題】  蓋本体（２０）の装着壁（２４）の内周面にシール片（４２）が一体に形成されているにも拘らずシール片を損傷せしめることなく成形することができる容器蓋（１８）を提供すること、そしてまたかかる容器蓋と圧搾自在な外側容器層（４）と圧搾自在な内側容器層（６）との積層構造である容器（２）との組み合わせを提供すること。【解決手段】  蓋本体の装着壁の内周面に、半径方向内方に延出する環状可撓性シール片を一体に形成すると共に、シール片の上方に位置する捨てアンダーカット（４４）を形成する。【選択図】  図１
2018002198.tif 000002
【特許請求の範囲】
【請求項１】
閉塞壁と該閉塞壁の外周縁部から垂下する円筒形装着壁とを有し、該閉塞壁には排出開口が形成されていると共に、該排出開口を閉じる逆止弁が配設されており、該逆止弁は該閉塞壁の内側の圧力が外側の圧力より所定値以上大きくなると開状態になる合成樹脂製蓋本体を具備する容器蓋において、
該装着壁の内周面には、半径方向内方に延出する環状可撓性シール片が一体に形成されていると共に、該シール片の上方に位置する捨てアンダーカットが形成されている、ことを特徴とする容器蓋。
【請求項２】
該捨てアンダーカットは該シール片の上方において該装着壁の該内周面下部に一体に形成された環状突条又は周方向に間隔をおいて周方向に延びる複数個の弧状突条によって規定されている、請求項１記載の容器蓋。
【請求項３】
該突条の半径方向突出寸法は該シール片の半径方向延出寸法と同一乃至それより大きい、請求項２記載の容器蓋。
【請求項４】
該シール片の基端と該突条の基端との軸線方向離隔寸法は、該シール片の半径方向延出寸法よりも小さい、請求項２又は３記載の容器蓋。
【請求項５】
該シール片は半径方向内方に向かって下方に傾斜して延出する、請求項１から４までのいずれかに記載の容器蓋。
【請求項６】
天面壁と該天面壁の外周縁部から垂下するスカート壁とを有し、該スカート壁の下端が該蓋本体の該装着壁の上端にヒンジ手段を介して接続されていて、該蓋本体の該閉塞壁を覆う閉位置と該閉塞壁を露呈せしめる開位置との間を旋回自在である、該蓋本体と一体に形成された外蓋を具備する、請求項１から５までのいずれかに記載の容器蓋。
【請求項７】
容器と請求項１から６までのいずれかに記載の容器蓋との組み合わせにして、
該容器は圧搾自在な外側容器層と圧搾自在な内側容器層との積層構造であり、該容器の口頸部には該外側容器層と該内側容器層との間に外気を導入するための導入手段が形成されており、
該容器の該口頸部に該蓋本体の該装着壁を被嵌することによって該口頸部に該容器蓋が装着されると、該蓋本体の該シール片が該容器の該外側容器層の該口頸部の外周面における該導入手段よりも下方の部位に密接され、
該内側容器層内の圧力が該容器外の圧力よりも所定値以上大きくなると該逆止弁が開放され、
該外側容器層と該内側容器層との間の圧力が外気の圧力よりも所定値以上小さくなった場合にのみ該蓋本体の該シール片が該外側容器層の該口頸部の外周面から離隔される、
ことを特徴とする組み合わせ。
【請求項８】
該容器の該外側容器層の該口頸部の該外周面には該導入手段よりも下方に位置する環状突出部が形成されており、該蓋本体の該シール片はその先端部が該環状突出部の上面に密接される、請求項７記載の組み合わせ。
【発明の詳細な説明】
【技術分野】
【０００１】
本発明は、圧搾自在な外側容器層と圧搾自在な内側容器層との積層構造である容器に適用される容器蓋に関すると共に、圧搾自在な外側容器層と圧搾自在な内側容器層との積層構造である容器と容器蓋との組み合わせに関する。
【背景技術】
【０００２】
下記特許文献１に開示されている如く、近時においては、調味料、特に醤油のための容器として、圧搾自在な外側容器層と圧搾自在な内側容器層との積層構造であり、外側容器層の口頸部には外側容器層と内側容器層との間に外気を導入するための導入孔が形成されている容器が広く実用に供されている。そして、かような容器のための容器蓋として、閉塞壁とこの閉塞壁の外周縁部から垂下する装着壁とを有する蓋本体を具備する容器蓋が利用されている。蓋本体の閉塞壁には排出開口が形成されていると共に、排出開口を閉じる逆止弁が配設されている。蓋本体の装着壁の内周面下部には、別個に成形したシール片が固着されており、このシール片の主部は装着壁の内周面下部から半径方向内方に延出する環状形態であり且つ可撓性を有する。
【０００３】
容器の口頸部に蓋本体の装着壁を被嵌することによって容器の口頸部に蓋本体が装着されると、蓋本体のシール片が容器の外側容器層の口頸部の外周面における導入孔よりも下方の部位に密接される。容器内の内容物を排出するために容器を圧搾して容器内の圧力を容器外の圧力よりも所定値以上大きくすると、逆止弁が開放されて排出開口を通して内容物が排出される。容器の圧搾を解除すると、容器が弾性的に復元されて外側容器層と内側容器層との間の圧力が漸次低減され、外側容器層と内側容器層との間の圧力が外気の圧力よりも所定値以上小さくなると、蓋本体のシール片が容器の外側容器層の口頸部の外周面から離隔し、外側容器層と内側容器層との間に外気が導入される。
【先行技術文献】
【特許文献】
【０００４】
【特許文献１】特開平１０−４５１８０号公報
【発明の概要】
【発明が解決しようとする課題】
【０００５】
而して、上述したとおりの容器蓋及び容器と容器蓋との組み合わせには、蓋本体のシール片が蓋本体とは別個に成形され、蓋本体の装着壁の内周面の所要部位に固着されていることに起因して、容器蓋の製作が比較的煩雑であり、製作コストが比較的高価であるという問題が存在する。この点について更に付言すると、装着壁の内周面下部から半径方向に延出する環状可撓性シールを装着壁の内周面に一体に形成することは、成形後の型抜きの際の所謂無理抜きに起因してシール片が損傷される傾向があり、一般に不可能であると考えられていた。
【０００６】
本発明は上記事実に鑑みてなされたものであり、その主たる技術的課題は、蓋本体の装着壁の内周面にシール片が一体に形成されているにも拘らずシール片を損傷せしめることなく成形することができる、新規且つ改良された容器蓋を提供すること、そしてまたかかる容器蓋と圧搾自在な外側容器層と圧搾自在な内側容器層との積層構造である容器との組み合わせを提供することである。
【課題を解決するための手段】
【０００７】
本発明者は、鋭意検討の結果、蓋本体の装着壁の内周面に、半径方向内方に延出する環状可撓性シール片を一体に形成すると共に、シール片の上方に位置する捨てアンダーカットを形成することによって、上記主たる技術的課題を達成することができることを見出した。
【０００８】
本明細書において使用する語句「アンダーカット」は、突出部に起因して、成形型から容器蓋を取り出す際の成形型に対する容器蓋の相対的移動方向に見て、突出部の後方に存在する空間であって、成形型から容器蓋を取り出す際に所謂無理抜きを生成する空間、を意味する。また、語句「捨てアンダーカット」は、容器蓋自体の機能の点からは必ずしも必要でないものであるが、成形の際の望ましくない損傷を回避乃至抑制するために存在せしめられているアンダーカット、を意味する。
【０００９】
本発明によれば、上記主たる技術的課題を解決する容器蓋として、閉塞壁と該閉塞壁の外周縁部から垂下する円筒形装着壁とを有し、該閉塞壁には排出開口が形成されていると共に、該排出開口を閉じる逆止弁が配設されており、該逆止弁は該閉塞壁の内側の圧力が外側の圧力より所定値以上大きくなると開状態になる合成樹脂製蓋本体を具備する容器蓋において、
該装着壁の内周面には、半径方向内方に延出する環状可撓性シール片が一体に形成されていると共に、該シール片の上方に位置する捨てアンダーカットが形成されている、ことを特徴とする容器蓋が提供される。
【００１０】
好ましくは、該捨てアンダーカットは該シール片の上方において該装着壁の該内周面下部に一体に形成された環状突条又は周方向に間隔をおいて周方向に延びる複数個の弧状突条によって規定されている。該突条の半径方向突出寸法は該シール片の半径方向延出寸法と同一乃至それより大きい、のが好適である。該シール片の基端と該突条の基端との軸線方向離隔寸法は、該シール片の半径方向延出寸法よりも小さいのが望ましい。該シール片は半径方向内方に向かって下方に傾斜して延出するのが好都合である。また、天面壁と該天面壁の外周縁部から垂下するスカート壁とを有し、該スカート壁の下端が該蓋本体の該装着壁の上端にヒンジ手段を介して接続されていて、該蓋本体の該閉塞壁を覆う閉位置と該閉塞壁を露呈せしめる開位置との間の旋回自在である、該蓋本体と一体に形成された外蓋を具備するのが好都合である。
【００１１】
更に、本発明によれば、上記主たる技術的課題を達成する組み合わせとして、容器と上記のとおりの容器蓋との組み合わせにして、
該容器は圧搾自在な外側容器層と圧搾自在な内側容器層との積層構造であり、該容器の口頸部には該外側容器層と該内側容器層との間に外気を導入するための導入手段が形成されており、
該容器の該口頸部に該蓋本体の該装着壁を被嵌することによって該口頸部に容器蓋が装着されると、該蓋本体の該シール片が該容器の該外側容器層の該口頸部の外周面における該導入手段よりも下方の部位に密接され、
該内側容器層内の圧力が該容器外の圧力よりも所定値以上大きくなると該逆止弁が開放され、
該外側容器層と該内側容器層との間の圧力が外気の圧力よりも所定値以上小さくなった場合にのみ該蓋本体の該シール片が該外側容器層の該口頸部の外周面から離隔される、
ことを特徴とする組み合わせが提供される。
【００１２】
該容器の該外側容器層の該口頸部の該外周面には該導入手段よりも下方に位置する環状突出部が形成されており、該蓋本体の該シール片はその先端部が該環状突出部の上面に密接されるのが好都合である。
【発明の効果】
【００１３】
本発明に従って構成された容器蓋及び容器と容器蓋においては、成形型から容器蓋を取り出す際に、捨てアンダーカットの存在に起因して蓋本体の装着壁におけるシール片が存在する部位が半径方向外方に強制され、これによってシール片の所謂無理抜きが軽減され、シール片が損傷されることが可及的に回避される。
【図面の簡単な説明】
【００１４】
【図１】本発明に従って構成された容器蓋と容器との組み合わせの好適実施形態を示す部分断面図。
【図２】図１に示す組み合わせにおける容器蓋の底面図。
【図３】図１に示す組み合わせにおいて容器蓋に配設された逆止弁を構成する弁部材の平面図。
【図４】図３に示す弁部材の正面図。
【図５】図３に示す弁部材の底面図。
【図６】図１に示す組み合わせにおいて、容器の外側容器層と内側容器層との間の圧力の変化による容器蓋のシール片の挙動を示す部分断面図。
【図７】図１に示す組み合わせにおける容器蓋の蓋本体を形成するのに使用した成形型から取り出す過程を示す部分断面図。
【発明を実施するための形態】
【００１５】
以下、添付図面を参照して、本発明に従って構成された容器蓋及び容器と容器蓋との組み合わせの好適実施形態について、更に詳述する。
【００１６】
先ず、容器について図１を参照して説明すると、全体を番号２で示す容器は圧搾自在な外側容器層４と圧搾自在な内側容器層６との積層構造である。容器２は、外側容器層４を形成するための基材（外側プリフォーム）の内側に内側容器層６を形成するための基材（内側プリフォーム）を予め積層させた状態で、外側プリフォームと内側プリフォームとを一体にブローして共押し出しすることで形成される。かような容器２の成形方法は周知であり、詳細については例えば特許第２５８６２９４号公報を参照されたい。外側容器層４の原料は高密度ポリエチレンの如き適宜の合成樹脂であると共に内側容器層６の原料はナイロンの如き適宜の合成樹脂であり、外側容器層４と内側容器層６との間では静電気等による相互吸着力が生じにくく、外側容器層４と内側容器層６とは剥離容易であるのが好都合である。
【００１７】
容器２の円筒形口頸部８には外側容器層４と内側容器層６との間に外気を導入するための導入手段１０が形成されている。図示の実施形態においては、口頸部８は有底筒壁形状である外側容器層４の上端部に設けられ、導入手段１０は口頸部８において周方向に間隔を置いて複数個設けられた小孔から構成されている。導入手段１０は、後述するとおりにして容器蓋を容器２に装着した際に、閉塞壁に形成されたシールリング３４の下端よりも下方に位置する。口頸部８の外周面には上端部に位置する環状係止突条１２と、導入手段１０よりも下方に位置する環状突出部１４とが形成されている。環状突出部１４の更に下方には容器を運搬する際に使用される公知のサポートリング１６も形成されている。内側容器層６は上端が開放された袋状であり、その外周面上端部は外側容器層４の内周面上端部と密着している。所望ならば、内側容器層６の上端部に半径方向外方に突出する環状突出部を設け、この環状突出部が外側容器層４の上端よりも上方に位置すると共にこれに係合されるようにし、容器２の口頸部が外側容器層４の上端部と共に内側容器層６の環状突出部から構成されると共に導入手段１０が内側容器層６に形成されるようにしてもよい。
【００１８】
次いで、容器蓋について図１を参照して説明を続けると、全体を番号１８で示す容器蓋はポリエチレン又はポリプロピレンの如き適宜の合成樹脂から射出成形又は圧縮成形することができる蓋本体２０を具備する。蓋本体２０は、閉塞壁２２とこの閉塞壁２２の外周縁部から垂下する円筒形装着壁２４とを有する。閉塞壁２２は、円形中央領域２２ａと、この中央領域２２ａよりも下方に位置する円環状外周領域２２ｂと、中央領域２２ａと外周領域２２ｂとを接続し上面が半径方向外方に向かって下方に傾斜している円環状接続領域２２ｃとを有する。中央領域２２ａの中央には円形排出開口２６が形成されており、中央領域２２ａの上面には排出開口２６の外周縁を囲繞して上方に延びる案内壁２８が形成されている。案内壁２８の主部は略円筒形状であり、案内壁２８の上端部には断面が略半円形状であるリップが設けられている。中央領域２２ａの下方には後述する逆止弁７０が配設され、これにより排出開口２６が閉じられる。外周領域２２ｂの上面には略円筒形状の係止壁３０が形成されている。係止壁３０は外周領域２２ｂの半径方向略中間位置において上方に延出せしめられており、その外周面上端には、半径方向外方に突出した環状係止突条３２が形成されている。外周領域２２ｂの下面には略円筒形状のシールリング３４が形成されている。シールリング３４は外周領域２２ｂの半径方向略中間位置において下方に垂下している。接続領域２２ｃの下面には略円筒形状の環状保持壁３６が形成されている。保持壁３６の内周面下端には、半径方向内方に突出した環状保持突条３８が形成されている。
【００１９】
図１と共に図２を参照して説明を続けると、装着壁２４の内周面における軸線方向略中間位置には、周方向に間隔を置いて周方向に延びる複数個（図示の場合は６個）の弧状被係止突条４０が形成されている。そして、装着壁２４の内周面には、半径方向内方に延出する環状可撓性シール片４２が一体に形成されていると共に、このシール片４２の上方に位置する捨てアンダーカット４４が形成されていることが重要である。図示の実施例においては、シール片４２は装着壁２４の内周面下部に形成されており、捨てアンダーカット４４は、シール片４２の上方において装着壁２４の内周面下部に一体に形成された環状突条４６によって規定されている。また、シール片４２自体によってアンダーカット４８が規定されている。突条４６の断面は半径方向内方に突出する略円弧形状である。図１と共に図７（ｃ）を参照して説明すると、突条４６の半径方向突出寸法Ｌ１はシール片４２の半径方向延出寸法Ｌ２と実質上同一乃至それより幾分大きいのが好ましい。シール片４２の基端と突条４６の基端との軸線方向離隔寸法Ｄは、シール片４２の半径方向突出寸法Ｌ２よりも小さい。シール片４２は半径方向内方に向かって下方に傾斜して延出しており、横断面図において弧状である。所望ならば、捨てアンダーカット４４は周方向に間隔を置いて周方向に延びる複数個の弧状突条によって規定することもできる。
【００２０】
蓋本体２０の装着壁２４の上端にはヒンジ手段５０を介して外蓋５２が接続されている。外蓋５２は蓋本体２０と一体に形成され（従って外蓋５２も合成樹脂製である）、蓋本体２０の閉塞壁２２を覆う閉位置（図１において実線で示す状態）と閉塞壁２２を露呈せしめる開位置（図１において二点鎖線で示す状態）との間で旋回自在である。外蓋５２は天面壁５４とこの天面壁５４の外周縁部から垂下するスカート壁５６とを有する。天面壁５４の内面には、その中央において下方に延出する閉塞栓５８と、この閉塞栓５８の外側において下方に垂下する外側シール片６０及び内側シール片６２とが形成されている。閉塞栓５８は中実棒状である。外側シール片６０及び内側シール片６２は共に略円筒形状である。内側シール片６２は外側シール片６０に比べて天面壁５４からの垂下長さが長く、閉塞栓５８は内側シール片６２に比べて天面壁５４からの垂下長さが長い。所望ならば、閉塞栓５８と内側シール片６２とは一体であってもよい。天面壁５４の内面における内側シール片６２と外側シール片６０との間には、外蓋５２を閉位置から開位置に旋回せしめる際に天面壁５４の内面に付着した内容液の飛散を防止するための二重円環溝６４が形成されている。スカート壁５６の内周面の下端部には、環状被係止突条６６が形成されている。ヒンジ手段５０と直径方向反対側において、スカート壁５６の外周面下端部には、外蓋５２を旋回動せしめる際に指を掛けることができる鍔部６８が形成されている。
【００２１】
本発明に従って構成された容器蓋１８には、全体を番号７０で示す逆止弁も配設されている。この逆止弁７０は弁部材７２と保持部材７４とから構成される。図１と共に図３乃至図５を参照して説明すると、ポリエチレン、ゴム、エラストマー、シリコン等の如き比較的軟質である合成樹脂から形成される弁部材７２は、略円板形状であって下方に位置する弁部７６と、円環形状であって上方に位置する基部７８と、弁部７６と基部７８とを接続する接続部８０とを有する。弁部７６の上面は全体として半径方向外方に向かって下方に傾斜する弧状面であり、その上面中央には上方に膨出する膨出部８２が形成されている。弁部７６の外周面下端部には半径方向内方に向かって下方に傾斜する逆円錐台形状のシール部８４が形成されている。図１を参照することによって理解されるとおり、弁部７６の下面には空間部８５が形成されている。空間部８５は断面略半楕円形状の主部８５ａと、この主部８５ａの長径方向中央にて上方に突出する凸部８５ｂとから構成されている。接続部８０は周方向に等角度間隔を置いて３個配設されている。夫々の接続部８０は接続基部８０ａと接続片８０ｂを有する。図３乃至図５を参照することによって理解されるとおり、接続基部８０ａは基部７８から下方に垂下する円弧状部材である。接続片８０ｂは、接続基部８０ａの内周面下端部の周方向中央位置から半径方向内方に延出した後に、下方から見て（即ち図５において）時計方向に所定程度円弧状に延出し、次いで再び半径方向内方に延出して弁部７６におけるシール部８４よりも上方の外周面に接続される帯状部材である。更に、図４を参照することによって明確に理解されるとおり、接続片８０ｂは全体的に半径方向内方に向かって下方に傾斜している。このことから、弁部７６は基部７８に対して上下方向に移動可能であり、弁部７６が接続基部８０ａに対して上方に移動した際には、弁部７６には接続片８０ｂの弾性力による下向きの復元力が常時作用せしめられる。
【００２２】
図１を参照して説明すると、ポリエチレン又はポリプロピレンの如き適宜の合成樹脂より形成される保持部材７４は円筒形側壁８６と側壁８６の下端に接続された略円形底壁８８とを有する。側壁８６の外周面上端部には半径方向外方に突出する環状被保持突条９０が形成されている。底壁８８は半径方向内方に向かって幾分下方に傾斜せしめられており、底壁８８の中央領域には円形連通開口９２が規定されている。更に、底壁８８には、連通開口９２の外周縁においてこれを囲繞して下方に向かって半径方向内方に幾分傾斜して延びる円筒形導入壁９４が形成されている。
【００２３】
上述した逆止弁７０は、外蓋５２が蓋本体２０に対して開位置にある状態で閉塞壁２２に装着される。その際には、逆止弁７０は、保持部材７４の内側に弁部材７２を配置して弁部材７２が保持部材７４によって保持された状態で、閉塞壁２２の中央領域２２ａの下方に位置せしめられ、閉塞壁２２に対して上方に強制される。閉塞壁２２に対して逆止弁７０が上方に強制されると、被保持突条９０は保持突条３８を弾性的に乗り越えてこれに係止される。閉塞壁２２に逆止弁７０が装着された状態にあっては、弁部材７２は、基部７８の上面が閉塞壁２２の下面と密着すると共に接続基部８０ａの下面が保持部材７４の底壁８８の上面と密着して上下方向の移動が規制されると共に、基部７８の外周面及び接続基部８０ａの外周面が側壁８６の内周面と対向して径方向の移動が規制される。このとき更に、シール部８４が底壁８８の内周縁部上面乃至導入壁９４の基端部内周面と当接して、弁部７６は接続基部８０ａに対して幾分上方へ移動させられる。すると、接続部８０は上述したとおりの弾性力を有する故に弁部７６には下方への復元力が作用し、シール部８４は底壁８８の内周縁部上面乃至導入壁９４の基端部内周面と密着し、これにより逆止弁７０が閉塞される。逆止弁７０が閉塞壁２２に装着された後に、外蓋５２が蓋本体２０に対して閉位置にせしめられる。
【００２４】
醤油の如き液体内容物が内側容器層６内に充填された容器２に容器蓋１８を装着する際には、容器２の口頸部８に容器蓋１８の装着壁２４を被嵌し（このとき、シールリング３４の先端部外周面は内側容器層６の内周面上端部よりも半径方向内側に位置している）、容器蓋１８を容器２に対して下方に強制せしめる。容器蓋１８が容器２に対して下方に強制されると、装着壁２４に形成されたシール片４２、突条４６、及び被係止突条４０が順次口頸部８に形成された係止突条１２を弾性的に乗り越え、シール片４２の先端部の下面が環状突出部１４の上面に密接されると共に、被係止突条４０が係止突条１２に係止される。シール片４２が突条１２を弾性的に乗り越える際には、シール片４２の基端と突条４６の基端との軸線方向離隔寸法Ｄがシール片４２の半径方向突出寸法Ｌ２よりも小さいことに起因して、シール片４２の上面が突条４６の下面と当接しこれによってシール片４２が過剰に撓むことが回避され、シール片４２が反転することが防止される。このとき更に、閉塞壁２２に形成されたシールリング３４は容器２の内部、更に詳しくは内側容器層６の内部、に進入すると共にこれを半径方向外方に弾性的に押圧する。これにより、シールリング３４の外周面が内側容器層６の上端部内周面と密着し、内容物がシールリング３４の外側を通過して内側容器層６（即ち容器２）の外部に流出することが阻止される。かくして、容器蓋１８は容器２の口頸部８に装着される。
【００２５】
容器の内容物を消費する際には、先ず、外蓋５２の鍔部６８に指を掛けて外蓋５２を上方に強制せしめ、外蓋５２の被係止突条６６を、蓋本体２０の係止突条３２から弾性的に離脱させて、外蓋５２を図１に二点鎖線で示す開位置に向けて旋回動せしめ、かくして閉塞壁２２を露呈せしめる。そして、容器２の側面を把持して適宜に傾斜せしめ、容器２を圧搾する。容器２が圧搾されることで、外側容器層４と共に内側容器層６も圧搾され、内側容器層６内の圧力が容器２外の圧力よりも大きくなる。そして、内側容器層６内の圧力が容器２外の圧力（即ち、閉塞壁２２の内側の圧力が外側の圧力）よりも所定値以上大きくなると、逆止弁７０の弁部７６が上述した接続部８０の弾性力に抗して上方に移動せしめられ、シール部８４が底壁８８の内周縁部上面乃至導入壁９４の基端部内周面から離隔し、逆止弁７０が開放される。この際には、弁部７６の下面に主部８５ａと凸部８５ｂとから構成される空間部８５が形成されていることに起因して、内側容器層６内の圧力によって弁部７６を上方へ移動させようとする応力が弁部７６の下面に効率的に作用し、弁部７６は円滑に上方へ移動せしめられる。逆止弁７０が開放されると、内側容器層６内に充填された内容物が連通開口９２、逆止弁７０（更に詳しくは弁部材７２と保持部材７４との間）、そして排出開口２６を順次通過した後に案内壁２８から排出される。
【００２６】
内容物の排出を停止する際には、容器２の側面の圧搾を解除する。容器２の側面の圧搾が解除されると、内側容器層６内の圧力は容器２外の圧力と等しくなるため、逆止弁７０の弁部７６が接続部８０の上述した復元力によって下方に移動せしめられ、シール部８４が底壁８８の内周縁部上面乃至導入壁９４の基端部内周面と密着し、逆止弁７０が封止される。これにより内容物の排出が停止すると共に内側容器層６は密閉される。この際には、弁部７６の上面が全体として半径方向外方に向かって下方に傾斜する弧状面であることに起因して、弁部７６の上面に残留した内容物は半径方向外方に向かって案内される。内容物の排出が停止すると共に内側容器層６が密閉された際には更に、外側容器層４は自身の有する弾性力により復元、即ち圧搾された状態から元の有底筒壁形状に膨張し、これによって外側容器層４と内側容器層６との間が負圧となる。そして、外側容器層４と内側容器層６との間の圧力が外気の圧力よりも所定値以上小さくなると、図６に二点鎖線で示すように、負圧によって蓋本体２０のシール片４２の先端部が外側容器層４の口頸部８の外周面に形成された環状突出部１４の上面から離隔されて隙間ができ、この隙間を通って外気が導入手段１０から外側容器層４と内側容器層６との間に導入される。外側容器層４と内側容器層６との間の圧力が外気の圧力と等しくなると、図６に実線で示すように、シール片４２は元の状態に復元し、シール片４２の先端部の下面は環状突出部１４の上面に再度密接される。しかる後に、外蓋５２を図１に二点鎖線で示す開位置から閉位置に向かって旋回動せしめて、外蓋５２の被係止突条６６を蓋本体２０の係止突条３２に弾性的に係止する。かくして外蓋５２が閉位置にせしめられる。外蓋５２が閉位置に位置せしめられると、外蓋５２の閉塞栓５８の先端は閉塞壁２２の排出開口２６を通って逆止弁７０の膨出部８２と当接しこれを下方に押圧せしめる。これにより、弁部材７２のシール部８４と保持部材７４における底壁８８の内周縁部上面乃至導入壁９４の基端部内周面との密着がより強固になり、逆止弁７０（更に詳しくは弁部材７２と保持部材７４との間）から内容物が漏れ出てくることがより一層確実に防止される。また、外蓋５２の内側シール片６２が蓋本体２０の案内壁２８内に進入して内側シール片６２の外周面下端部が案内壁２８の基端部内周面に密着されると共に、外側シール片６０の内周面下端部が案内壁２８のリップ部の先端部外周面と密着し、逆止弁７０と排出開口２６との間に残留した内容物が排出開口２６を通過して蓋本体２０の外部に漏れ出ることも防止される。
【００２７】
次に、上述したように構成された容器蓋を射出成形によって形成した際に、蓋本体を形成するための成形型の一部から容器蓋を取り出す工程について図７を参照して説明する。全体を番号９６で示す略円筒形状の成形型部材の外周面は、容器蓋１８の蓋本体２０における、被係止突条４０、シール片４２、及び突条４６を含む装着壁２４の内周面を規定しており、捨てアンダーカット４４に対応する環状凸部９８と、アンダーカット４８に対応する環状凸部１００とを有する。
【００２８】
容器蓋１８を射出成形によって形成した後であって、成形型９６から蓋本体２０を取り出す前の状態が図７（ａ）に示されている。図７（ａ）に示す状態において、成形型９６から蓋本体２０を取り出すには、蓋本体２０に対して成形型９６を降下せしめる。蓋本体２０に対して成形型９６を降下せしめる際には、凸部１００がシール片４２を乗り越えると共に、凸部９８が突条４６を乗り越える。この際には、図７（ｂ）に示すとおり、凸部９８により突条４６が半径方向外方に強制せしめられ、装着壁２４の下部が一時的に拡径される。これにより、凸部１００がシール片４２を乗り越える際には、凸部１００はその先端部がシール片４２の延出端部と接触して幾分撓ませた後にこれを容易に通過することが可能となる。つまり、成形型９６から容器蓋１８（蓋本体２０）を取り出す際に、捨てアンダーカット４４の存在に起因して蓋本体２０の装着壁２４におけるシール片４２が存在する部位が半径方向外方に強制され、これによってシール片４２の所謂無理抜きが軽減され、シール片４２が損傷されることが可及的に回避される。図示の実施形態においては、突条４６の半径方向突出寸法Ｌ１はシール片４２の半径方向延出寸法Ｌ２と同一乃至それより幾分大きい故に、凸部１００がシール片４２を通過する際には、シール片４２が形成された部位における装着壁２４は突条４６の半径方向突出寸法Ｌ１、即ちシール片４２の半径方向延出寸法Ｌ２と略同等分だけ半径方向外方に拡径されており、シール片４２の無理抜きが確実に緩和され、シール片４２が損傷されることが可及的に回避される。凸部９８がシール片４２を乗り越えた後は、図７（ｃ）に示すとおり、成形型９６を下方に降下せしめることで容器蓋２が成形型９６から取り出される。
【符号の説明】
【００２９】
２：容器
４：外側容器層
６：内側容器層
８：口頸部
１０：孔（導入手段）
１８：容器蓋
２０：蓋本体
２２：閉塞壁
２４：装着壁
２６：排出開口
４２：シール片
４４：捨てアンダーカット
５２：外蓋
７０：逆止弁
９６：成形型
９８：凸部
１００：凸部
【図１】
2018002198.tif 000003
【図２】
2018002198.tif 000004
【図３】
2018002198.tif 000005
【図４】
2018002198.tif 000006
【図５】
2018002198.tif 000007
【図６】
2018002198.tif 000008
【図７】
2018002198.tif 000009